(57)【要約】【課題】多くの機能を実現し、容易に小型化することができる携帯通信端末および機能実現方法を提供する。【解決手段】ストラップソケット１１７にストラップ２００が接続される。ストラップ２００には、携帯通信端末に実現させる機能に応じた部品が搭載されている。ストラップ判別部１１１が、ストラップソケット１１７に接続されたストラップ２００の種別を判別する。制御部１１４が、ストラップ判別部１１１による判別結果に応じて、ストラップ２００の搭載された部品を利用した動作を実行する。【選択図】図１
2009231935.tif 000002
【特許請求の範囲】
【請求項１】
無線基地局と情報を送受信する携帯通信端末において、
前記携帯通信端末に実現させる機能に応じた部品が搭載されている機能提供装置が接続される装置接続手段と、
前記装置接続手段に接続された機能提供装置の種別を判別する種別判別手段と、
前記種別判別手段が判別した前記機能提供装置の種別に応じて、前記機能提供装置に搭載されている部品にもとづく機能を実現する制御手段とを含む
ことを特徴とする携帯通信端末。
【請求項２】
携帯通信端末は、第１の筐体、第２の筐体、および前記第１の筐体と前記第２の筐体とを連結する連結手段を備え、
前記第１の筐体と前記第２の筐体との位置関係にもとづいて、携帯通信端末の状態を判断する状態検出手段を含み、
制御手段は、種別判別手段が判別した機能提供装置の種別と、前記状態検出手段が判断した前記携帯通信端末の状態とに応じて、前記機能提供装置に搭載されている部品にもとづく機能を実現する
請求項１記載の携帯通信端末。
【請求項３】
制御手段は、機能提供装置が装置接続手段から分離された場合に、実現している機能を終了する
請求項１または請求項２記載の携帯通信端末。
【請求項４】
装置接続手段には、テレビジョン放送信号を受信するアンテナが搭載された機能提供装置が接続され、
制御手段は、前記アンテナが受信したテレビジョン放送信号にもとづいて、表示手段に画像を表示させ、スピーカに音声を出力させる
請求項１から請求項３のうちいずれか１項記載の携帯通信端末。
【請求項５】
装置接続手段には、テレビジョン放送信号を受信するアンテナと、テレビジョン放送に対応した操作機能を実現するための部品が搭載された機能提供装置が接続され、
制御手段は、前記アンテナが受信したテレビジョン放送信号にもとづいて、表示手段に画像を表示させ、スピーカに音声を出力させ、テレビジョン放送に応じた操作機能を実現する
請求項１から請求項４のうちいずれか１項記載の携帯通信端末。
【請求項６】
装置接続手段には、ユーザを識別する情報が記憶された部品が搭載された機能提供装置が接続され、
制御手段は、前記機能提供装置に搭載された部品に記憶されている情報に応じた機能を実現する
請求項１から請求項４のうちいずれか１項記載の携帯通信端末。
【請求項７】
連結手段は、ユーザによって指示が入力される指示入力手段を含む
請求項１から請求項６のうちいずれか１項記載の携帯通信端末。
【請求項８】
無線基地局と情報を送受信する携帯通信端末における機能実現方法であって、
前記携帯通信端末に実現させる機能に応じた部品が搭載されている機能提供装置が装置接続手段に接続される接続ステップと、
接続された機能提供装置の種別を判別する判別ステップと、
前記判別ステップで判別した前記機能提供装置の種別に応じて、前記機能提供装置に搭載されている部品にもとづく機能を実現する制御ステップとを含む
ことを特徴とする機能実現方法。
【請求項９】
携帯通信端末を構成し、連結手段によって連結された第１の筐体と第２の筐体との位置関係にもとづいて、携帯通信端末の状態を判断する状態検出ステップを含み、
制御ステップにおいて、判別ステップで判別した機能提供装置の種別と、前記状態検出ステップで判断した前記携帯通信端末の状態とに応じて、前記機能提供装置に搭載されている部品にもとづく機能を実現する
請求項８記載の機能実現方法。
【請求項１０】
制御ステップで、機能提供装置が装置接続手段から分離された場合に、実現している機能を終了する
請求項８または請求項９記載の機能実現方法。
【請求項１１】
接続ステップで、テレビジョン放送信号を受信するアンテナが搭載された機能提供装置が接続され、
制御ステップで、前記アンテナが受信したテレビジョン放送信号にもとづいて、表示手段に画像を表示させ、スピーカに音声を出力させる
請求項８から請求項１０のうちいずれか１項記載の機能実現方法。
【請求項１２】
接続ステップで、テレビジョン放送信号を受信するアンテナと、テレビジョン放送に対応した操作機能を実現するための部品が搭載された機能提供装置が接続され、
制御ステップで、前記アンテナが受信したテレビジョン放送信号にもとづいて、表示手段に画像を表示させ、スピーカに音声を出力させ、テレビジョン放送に応じた操作機能を実現する
請求項８から請求項１１のうちいずれか１項記載の機能実現方法。
【請求項１３】
接続ステップで、ユーザを識別する情報が記憶された部品が搭載された機能提供装置が接続され、
制御ステップで、前記機能提供装置に搭載された部品に記憶されている情報に応じた機能を実現する
請求項８から請求項１０のうちいずれか１項記載の機能実現方法。
【発明の詳細な説明】
【技術分野】
【０００１】
本発明は、多くの機能を実現可能な携帯通信端末および機能実現方法に関する。
【背景技術】
【０００２】
一般に、携帯電話機等の携帯通信端末は、情報を表示する表示部とユーザによって操作される操作部とを有している。近年、携帯通信端末は多機能化され、それら多くの機能を実現する部品が搭載されており、ユーザによる携帯を容易にするため、小型化が求められている。
【０００３】
特許文献１には、表示部を有する第１の筐体と、主操作部を有する第２の筐体と、第１の筐体と第２の筐体とを接続し、副操作部を有するヒンジ部とを備えた携帯端末装置が記載されている。
【０００４】
【特許文献１】特開２０００−２９５７７８号公報（段落００１４〜００３６、図１）
【発明の開示】
【発明が解決しようとする課題】
【０００５】
特許文献１に記載されている携帯端末装置は、多くの機能を実現するためには、各筐体またはヒンジ部に多くの部品を搭載させなければならず、小型化が困難である。また、第２の筐体またはヒンジ部に多くの部品を搭載させた場合には、主操作部または副操作部が小型化され、ユーザによる操作性が悪化するという問題がある。
【０００６】
そこで、本発明は、多くの機能を実現し、容易に小型化することができる携帯通信端末および機能実現方法を提供することを目的とする。
【課題を解決するための手段】
【０００７】
本発明による携帯通信端末は、無線基地局と情報を送受信する携帯通信端末であって、携帯通信端末に実現させる機能に応じた部品が搭載されている機能提供装置が接続される装置接続手段と、装置接続手段に接続された機能提供装置の種別を判別する種別判別手段と、種別判別手段が判別した機能提供装置の種別に応じて、機能提供装置に搭載されている部品にもとづく機能を実現する制御手段とを含むことを特徴とする。
【０００８】
本発明による機能実現方法は、無線基地局と情報を送受信する携帯通信端末における機能実現方法であって、携帯通信端末に実現させる機能に応じた部品が搭載されている機能提供装置が装置接続手段に接続される接続ステップと、接続された機能提供装置の種別を判別する判別ステップと、判別ステップで判別した機能提供装置の種別に応じて、機能提供装置に搭載されている部品にもとづく機能を実現する制御ステップとを含むことを特徴とする。
【発明の効果】
【０００９】
本発明によれば、携帯通信端末に機能を実現させるための部品を搭載させることなく、機能提供装置に搭載された部品を利用して当該機能を実現させることができるので、携帯通信端末を容易に小型化することができる。
【発明を実施するための最良の形態】
【００１０】
本発明の実施形態について、図面を参照して説明する。図１は、本発明の実施形態の携帯通信端末１００を示す外観図である。なお、図１（ａ）は、開状態の携帯通信端末１００の正面図、図１（ｂ）は、開状態の携帯通信端末１００の背面図、図１（ｃ）は、携帯通信端末１００の閉状態を示す外観図である。開状態および閉状態については後述する。
【００１１】
図１に示すように、本実施形態の携帯通信端末１００は、当該携帯通信端末１００に実現させる機能に応じた部品が搭載されたストラップ（機能提供装置）２００が接続されるストラップソケット（装置接続手段）１１７を有している。
【００１２】
また、図１に示す例では、本実施形態の携帯通信端末１００は、第１の筐体１２１、第２の筐体１２２、および第１の筐体１２１と第２の筐体１２２とを連結する連結部（連結手段）１２３とを含む。
【００１３】
第１の筐体１２１は、文字や図形、記号、映像等の情報を表示する表示部（表示手段）１０６、および音声を出力する受話スピーカ１０５を有する。なお、第１の筐体１２１における表示部１０６を有する面を第１の筐体１２１の正面といい、当該正面の反対側の面を第１の筐体１２１の背面という。
【００１４】
第２の筐体１２２は、情報を入力する操作部１０７、音声を出力する送話マイクロフォン１０４を含む。操作部１０７は、所定の処理を実行させるためにユーザによって押下されるファンクションキー１０７ａと、発信先の電話番号等を入力するためのテンキー１０７ｂとを含む。なお、第２の筐体１２２における操作部１０７を有する面を第２の筐体１２２の正面といい、当該正面の反対側の面を第２の筐体１２２の背面という。
【００１５】
連結部１２３には、第２の筐体１２２の正面の方向と同様な方向に面が設けられている。連結部１２３における第２の筐体１２２の正面の方向と同様な方向に設けられた面を、連結部１２３の正面という。また、当該面の反対側の面を連結部１２３の背面という。
【００１６】
連結部１２３の正面には、指示を入力するナビゲーション操作部（指示入力手段）１０８が設けられている。ナビゲーション操作部１０８は、例えば、押下された位置や方向に応じて、指示を入力するポインティングデバイスや、決定キーである。
【００１７】
連結部１２３の背面には、撮影するカメラ部１０２と、着信時等に点灯してユーザに着信等を報知するＬＥＤ（Ｌｉｇｈｔ  Ｅｍｉｔｔｉｎｇ  Ｄｉｏｄｅ）１０９と、ストラップソケット１１７とが設けられている。
【００１８】
連結部１２３は、第１の筐体１２１の正面または背面が第２の筐体１２２の正面を覆うように回転可能に、第１の筐体１２１の一辺と第２の筐体１２２の一辺とを連結する。連結部１２３と第１の筐体１２１とは、第１のヒンジ１２３ａで連結され、連結部１２３と第２の筐体１２２とは、第２のヒンジ１２３ｂで連結されている。
【００１９】
なお、第１の筐体１２１の正面または背面が第２の筐体１２２の正面を覆う状態を閉状態といい、第１の筐体１２１の正面または背面と第２の筐体１２２の正面とが同様な方向の向きであり、第２の筐体１２２の正面が第１の筐体１２１で覆われていない状態を開状態という。
【００２０】
また、連結部１２３は、開状態で、第１の筐体１２１の正面が第２の筐体１２２の正面の方向と同様な方向を向いている状態から、第１の筐体１２１の正面が第２の筐体１２２の背面の方向と同様な方向を向いている状態に回転可能に第１の筐体１２１と第２の筐体１２２とを連結する回転軸１２３ｃを有する。
【００２１】
図２は、本実施形態の携帯通信端末１００の構成例を示すブロック図である。図２に示すように、本実施形態の携帯通信端末１００は、無線通信部１０１、カメラ部１０２、音声処理部１０３、送話マイクロフォン１０４、受話スピーカ１０５、表示部１０６、操作部１０７、ナビゲーション操作部１０８、ＬＥＤ１０９、状態検出部（状態検出手段）１１０、ストラップ判別部（種別判別手段）１１１、報知スピーカ（スピーカ）１１２、記憶部１１３、制御部（制御手段）１１４、放送受信部１１５、センサ１１６、および通話アンテナ１１８を含む。
【００２２】
無線通信部１０１は、通話アンテナ１１８を介して無線基地局と情報を送受信する。カメラ部１０２は、画像情報の取得（撮影）を行う。音声処理部１０３は、送話マイクロフォン１０４に入力された音声信号と、受話スピーカ１０５または報知スピーカ１１２に音声を出力させるための音声信号との処理を行う。
【００２３】
ＬＥＤ１０９は、着信時（電話着呼時や電子メール受信時）や予め設定された時間等に、発光する。
【００２４】
状態検出部１１０は、センサ１１６の検出結果にもとづいて、携帯通信端末１００が開状態であるのかまたは閉状態であるのか、および第１の筐体１２１の正面の方向を検出する。なお、センサ１１６は、例えば、押下スイッチやホール素子によって実現される。
【００２５】
具体的には、状態検出部１１０は、携帯通信端末１００が開状態であるのか、閉状態において第１の筐体１２１の正面（つまり、表示部１０６）が携帯通信端末１００の外側に開放されている状態（以下、第１の閉状態という）であるのか、または閉状態において第１の筐体１２１の正面（つまり、表示部１０６）が携帯通信端末１００の内側に隠蔽されている状態（以下、第２の閉状態という）であるのかを検出する。
【００２６】
なお、状態検出部１１０は、例えば、第１の筐体１２１または第２の筐体１２２の一方筐体に設けられた凸部によって、他方の筐体における当該凸部に対応する位置に設けられた押下スイッチが押下されたか否かによって、携帯通信端末１００が開状態であるのか閉状態であるのかを検出する。
【００２７】
また、状態検出部１１０は、閉状態において、例えば、第１の筐体１２１または第２の筐体１２２の一方の筐体に設けられたホール素子が、他方の筐体における当該ホール素子に対応する位置に設置された磁石による磁気を検出したか否かによって、第１の閉状態であるのか、または第２の閉状態であるのかを検出する。
【００２８】
ストラップ判別部１１１は、ストラップソケット１１７にストラップ２００が接続されているか否か、およびストラップ２００が接続されていると判断した場合に、接続されているストラップ２００の種別を判別する。
【００２９】
記憶部１１３には、電話帳の情報、送受信したメールの情報、発着呼した相手先の電話番号等の情報、インターネットを介して受信した情報、搭載しているアプリケーションプログラムの情報、カメラ部１０２によって撮影された画像、および携帯通信端末１００の設定が格納される。
【００３０】
放送受信部１１５は、テレビジョン放送信号を復調して、映像データ、音声データ、情報データ等の放送信号の処理を行う。なお、テレビジョン放送信号は、ストラップ２００に搭載されているテレビジョン放送受信アンテナによって受信される。
【００３１】
制御部１１４は、各部を制御し、携帯通信端末１００に、電話通信機能、電子メール送受信機能、インターネット接続機能、カメラ機能、テレビジョン放送受信機能、コンテンツ再生機能等を実現させる。
【００３２】
図３は、本実施形態の携帯通信端末１００の動作を示すフローチャートである。図３に示すように、携帯通信端末１００の制御部１１４は、ストラップ判別部１１１がストラップ２００がストラップソケット１１７に接続されているされていると判断した場合に（ステップＳ１０１のＹ）、接続されたストラップ２００の種別を判断する（ステップＳ１０２）。
【００３３】
そして、制御部１１４は、状態検出部１１０が検出した携帯通信端末１００の状態（開状態、第１の閉状態、または第２の閉状態）が、ステップＳ１０２で判断したストラップ２００の種別に応じた状態である場合に（ステップＳ１０３のＹ）、ストラップ２００に応じた機能を起動する（ステップＳ１０４）。
【００３４】
具体的には、例えば、ストラップソケット１１７に接続されたストラップ２００に、テレビジョン放送受信アンテナおよびテレビジョン放送に対応した操作機能を実現するための部品が搭載されている場合に、制御部１１４は、携帯通信端末１００が第１の閉状態であるときに、ストラップ２００に搭載されている部品を活用して、受信されたテレビジョン放送信号を放送受信部１１５に復調させ、映像を表示部１０６に表示させ、音声を報知スピーカ１１２に出力させる（テレビジョン放送受信機能を実現するように各部を制御する）。
【００３５】
また、例えば、ストラップソケット１１７に接続されたストラップ２００に、ユーザ識別情報が格納された部品が搭載されている場合に、制御部１１４は、携帯通信端末１００が開状態であるときに、ユーザ識別情報に応じたユーザの電子メール送受信機能を実現するように各部を制御する。
【００３６】
制御部１１４は、ストラップソケット１１７からストラップ２００が分離した（つまり、ストラップソケット１１７からストラップ２００が外された）場合に（ステップＳ２０１のＹ）、ストラップ２００に応じた制御を実行（起動）しているときに（ステップＳ２０２のＹ）、当該制御（機能）を終了する（ステップＳ２０３）。
【００３７】
本実施形態によれば、制御部１１４の制御によって、ストラップ２００に搭載された部品に応じた機能が実現される。従って、当該機能を実現するための部品を携帯通信端末１００に搭載する必要がないので、携帯通信端末１００を小型化することができる。
【００３８】
また、制御部１１４が、状態検出部１１０が検出した携帯通信端末１００の状態（開状態、第１の閉状態、または第２の閉状態）が、ストラップ２００の種別に応じた状態である場合に、ストラップ２００に応じた機能を起動するように構成されているので、ユーザの利便性や操作性を向上させることができる。
【００３９】
また、制御部１１４が、ストラップソケット１１７からストラップ２００が分離した（つまり、ストラップソケット１１７からストラップ２００が外された）場合に、ストラップ２００に応じた制御を実行しているときに、当該制御を終了するように構成されているので、ストラップソケット１１７からストラップ２００が外された後に、当該制御が継続することを防ぐことができる。
【００４０】
また、ナビゲーション操作部１０８が連結部１２３に設けられているので、操作部１０７の各キーを小型化して操作性を悪化させることなく、第２の筐体を小型化し、デザイン性に優れた携帯通信端末を提供することができる。なお、制御部１１４は、ｍナビゲーション操作部１０８になされた操作にもとづいて動作するか否か、およびなされた操作の内容に応じた動作を状態検出部１１０が検出した携帯通信端末１００の状態（開状態、第１の閉状態、または第２の閉状態）に応じて決定するように構成されていてもよい。そのように構成された場合には、ユーザの利便性や操作性を向上させることができる。
【００４１】
図４は、本発明の実施形態の携帯通信端末の最小構成例を示すブロック図である。図４に示すように、本発明の実施形態の最小構成例の携帯通信端末は、無線通信部１０１、ストラップ判別部（種別判別手段）１１１、および制御部（制御手段）１１４を含む。なお、本発明の実施形態の最小構成例の携帯通信端末には、ストラップ２００が接続されるストラップソケット１１７が設けられている。
【００４２】
ストラップ判別部１１１は、ストラップソケット１１７に接続されたストラップ２００の種別を判別する。制御部１１４は、ストラップ判別部１１１による判別結果に応じた動作を実行する。
【００４３】
図４に示す構成の携帯通信端末でも、制御部１１４の制御によって、ストラップ２００に搭載された部品に応じた機能が実現される。従って、当該機能を実現するための部品を携帯通信端末に搭載する必要がないので、携帯通信端末を小型化することができるという効果を奏する。
【産業上の利用可能性】
【００４４】
本発明は、多くの機能を実現する携帯通信端末に適用することができる。
【図面の簡単な説明】
【００４５】
【図１】本発明の実施形態の携帯通信端末を示す外観図である。
【図２】本実施形態の携帯通信端末の構成例を示すブロック図である。
【図３】本実施形態の携帯通信端末の動作を示すフローチャートである。
【図４】本発明の実施形態の携帯通信端末の最小構成例を示すブロック図である。
【符号の説明】
【００４６】
１００  携帯通信端末
１０１  無線通信部
１０２  カメラ部
１０３  音声処理部
１０４  送話マイクロフォン
１０５  受話スピーカ
１０６  表示部
１０７  操作部
１０８  ナビゲーション操作部
１０９  ＬＥＤ
１１０  状態検出部
１１１  ストラップ判別部
１１２  報知スピーカ
１１３  記憶部
１１４  制御部
１１５  放送受信部
１１６  センサ
１１７  ストラップソケット
１２１  第１の筐体
１２２  第２の筐体
１２３  連結部
【図１】
2009231935.tif 000003
【図２】
2009231935.tif 000004
【図３】
2009231935.tif 000005
【図４】
2009231935.tif 000006